(57)【特許請求の範囲】
【請求項１】
携帯電話を着脱自在に保持する保持部と、スピーカ及びマイクロホンが接続され、かつ前記携帯電話に接続されるコネクタが接続されたインターフェイス回路と、該インターフェイス回路を収納すると共に、前記保持部が設けられるハウジングとを備え、前記コネクタを前記携帯電話に接続することによって該携帯電話をハンズフリー電話機として使用可能にする車載用電話装置において、
前記ハウジングに収納されて、外部から供給される直流電圧を高い交流電圧に変換して出力する電圧変換回路と、前記ハウジングに設けられ、前記電圧変換回路の出力端子に接続された第１コンセントと、前記ハウジングに設けられた第２コンセントと、該第２コンセントに接続された電源ラインと前記スピーカ及びマイクロホンに接続された信号ラインとに接続されたコネクタとを備え、
前記第１コンセントと第２コンセントとの間に、前記携帯電話専用のアダプタを接続すると共に、前記コネクタに前記携帯電話を接続することによって、前記携帯電話は、ハンズフリー電話機として使用可能になることを特徴とする車載用電話装置。
【発明の詳細な説明】
【０００１】
【発明の属する技術分野】
この発明は、携帯電話が接続され、電話機を持たずに通話することを可能とする車載用電話装置に関するものである。
【０００２】
【従来の技術】
この種のものとして、例えば特開２００１―８６２１２号公報に示すようなものがあるので、その概要を図１２及び図１３に基づいて以下に説明する。
すなわち、車両のドアパネル１とフロントドアピラー２の三角コーナー部に設けられた金属製等のロワフレームブラケット（不図示）の車外側に、ドアミラー３が取付られている。また車内側には、フロントドアガーニッシュ４が、フロントドアピラー２とドアパネル１の三角コーナー部に取り付けられている。また、フロントドアガーニッシュ４の車内側には、充電端子５を有し、携帯電話６が設置される携帯電話ホルダー７が設けられると共に、運転席に向けてマイク８とスピーカー９が取り付けられている。
【０００３】
また、フロントドアガーニッシュ４からは車内側に、フレキシブルケーブル１０が突出し、そのフレキシブルケーブル１０には、携帯電話６のインカムジャック１４に接続されるインカムプラグ１１が、またロワフレームブラケット（不図示）とフロントドアガーニッシュ４との間には、車載バッテリ１５に接続された電源アダプタ１２が配置されている。なお、図中の符号１６は携帯電話６の充電コネクタ、１７はその充電コネクタ１６に接続される充電端子、１８は増幅回路である。
【０００４】
そして、携帯電話６を携帯電話ホルダー７の位置に合わせてスライド挿入することにより、充電コネクタ１６に充電端子１７が接続され、携帯電話４を充電することができる。
また、携帯電話６のインカムジャック１４に、インカムプラグ１１が差し込まれ、インカムプラグ１１がフレキシブルケーブル１０に接続されて、マイク８とスピーカー９とに接続されることによって、マイク８にて収音した音声を携帯電話６に送り込んで外部に送信させることができる。また、携帯電話６で受信した通話相手の音声を増幅回路１８に供給し、スピーカー９から再生する。
【０００５】
【発明が解決しようとする課題】
しかしながら、上記のような構成において使用される携帯電話は、メーカにより充電電圧が異なるように設定されているために、携帯電話をハンズフリーとして使用できる装置を作る場合、共用化するには、種々の充電電圧に対応させる必要があり、コストアップの要因となる恐れがあった。
一方、ユーザーの多くは、上記のように異なる充電電圧で充電した場合には携帯電話自体の電子回路が壊れる場合があることを知らずにいるのが現状である。それによって、ユーザーが間違えて携帯電話を専用でない充電装置で充電した場合には、故障する恐れがあった。
【０００６】
そこで、この発明は、上記問題点に鑑みてなされたもので、車室内では、どのような携帯電話でも充電して使用できるようにすることを目的とする。
具体的には、例えば直流１２Ｖから交流１００Ｖに変換された電圧を出力するＡＣソケットを設け、このＡＣソケットに携帯電話に付属されている充電アダプタを接続し、充電できるようにする。また必要に応じてその携帯電話をハンズフリー電話としても使用できるようにする。
【０００７】
【課題を解決するための手段】
この発明に係る車載用電話装置は、携帯電話を着脱自在に保持する保持部と、スピーカ及びマイクロホンが接続され、かつ前記携帯電話に接続されるコネクタが接続されたインターフェイス回路と、該インターフェイス回路を収納すると共に、前記保持部が設けられるハウジングとを備え、前記コネクタを前記携帯電話に接続することによって該携帯電話をハンズフリー電話機として使用可能にする車載用電話装置において、前記ハウジングに収納されて、外部から供給される直流電圧を高い交流電圧に変換して出力する電圧変換回路と、前記ハウジングに設けられ、前記電圧変換回路の出力端子に接続された第１コンセントと、前記ハウジングに設けられた第２コンセントと、該第２コンセントに接続された電源ラインと前記スピーカ及びマイクロホンに接続された信号ラインとに接続されたコネクタとを備え、前記第１コンセントと第２コンセントとの間に、前記携帯電話専用のアダプタを接続すると共に、前記コネクタに前記携帯電話を接続することによって、前記携帯電話は、ハンズフリー電話機として使用可能になるものについてである。
【０００８】
【発明の実施の形態】
この発明による実施の形態を以下に説明する。
【０００９】
実施の形態１．
この実施の形態１を図１乃至図５を参照しながら説明する。
図において、２０は一側面が開口されると共に、インターフェイス回路２１及びＤＣ／ＡＣコンバータ（電圧変換回路）２２を搭載した回路基板２３を収納してなるハウジング、２４は前記ハウジング２０の開口部に嵌合して取付けられ、前記ハウジング２０の一部を構成する蓋体で、その蓋体２４は、窓部２４ａと部品取付部２４ｂと凹部２４ｃを有し、その窓部２４ａには携帯電話２５を着脱自在に保持する保持部２６が設けられ、また部品取付部２４ｂには、前記ＤＣ／ＡＣコンバータ２２の出力端子に接続された第１コンセント２７と、インターフェイス回路２１の入力端子に接続された第２コンセント２８が取り付けられ、また凹部２４ｃには携帯電話２５の充電コネクタ２５ａに接続される充電端子２９を格納する格納部３０が形成されている。なお、部分蓋体３１は、前記第１コンセント２７、第２コンセント２８及び凹部２４Ｃを前面から覆い見えなくして、不使用時の見栄えを向上させるものである。
【００１０】
次に、電気的な接続関係を説明する。
すなわち、図４に示されるように、外部の車載バッテリ３２からハーネス３３を介して１２Ｖ電源が給電される前記ＤＣ／ＡＣコンバータ２２は、これを交流１００Ｖ電圧に変換してハーネス３４を介して第１コンセント２７に出力することによって、第１コンセント２７には交流１００Ｖの電圧が常時発生している。
【００１１】
また前記インターフェイス回路２１は、第２コンセント２８にハーネス３５を介して接続されると共に、そのハーネス３６を介して充電端子２９に接続されている。また、前記インターフェイス回路２１は、ハーネス３９を介して、運転席回りに設けられたスピーカ３７に接続されると共に、ハーネス４０を介して、同様に運転席回りに設けられたマイクロホン３８に接続されている。
【００１２】
なお、符号４１で示されているアダプタは、携帯電話２５を購入すると専用付属品として付いてくるもので、ハーネス４２及び充電端子４３が一体に接続されており、携帯電話２５を充電するとき、建物内の交流１００Ｖのコンセントに差し込み、使用するものである。
【００１３】
ここでは、前記建物内の交流１００Ｖのコンセントに対応するものが前記第１コンセント２７である。また第２コンセント２８は、携帯電話２５の充電コネクタ２５ａに接続可能に設定されており、充電端子４３は必要に応じて前記第２コンセント２８又は携帯電話２５の充電コネクタ２５ａに選択的に接続され、同時に接続されることはない。
【００１４】
すなわち、前記携帯電話２５を通常の携帯電話として充電しながら使用したいときには、図４に示すように、アダプタ４１を第１コンセント２７に差し込み、また充電端子４３を携帯電話２５の充電コネクタ２５ａに接続して使用する。
【００１５】
一方、携帯電話２５をハンズフリー電話機として使用したいときには、図５に示すように、アダプタ４１は、同様に第１コンセント２７に差し込み、また充電端子４３を第２コンセント２８に差し込む。そして、充電端子２９をハウジング２０の格納部３０から引き出して携帯電話２５の充電コネクタ２５ａに接続し、携帯電話２５を保持部２６に保持せしめることによって携帯電話２５を持たなくとも良くなり、スピーカ３７及びマイクロホン３８は、インターフェイス回路２１を介して携帯電話２５の電話機能に接続され、ハンズフリー状態になる。
【００１６】
次に、前記携帯電話２５がハンズフリー電話機として使用されるときに携帯電話２５を保持する保持部２６について以下に説明する。
すなわち、この保持部２６は、表面側に化粧面が施されると共に、前記ハウジング２０の開口部に設けられた蓋体２４に形成された窓部２４ａを閉塞する板状の回転蓋５０の裏面側に設けられている。この回転蓋５０は、その中央部には縦方向に貫通する回転軸５１が設けられ、その回転軸５１の両端は、前記窓部２４ａの窓枠５２によって軸支され、前記回転蓋５０はその回転軸５１を中心として回転可能に構成されている。
【００１７】
これによって、前記携帯電話２５を保持部２６に保持させ、ハンズフリー電話機として使用するときには前記回転蓋５０の裏面の保持部２６がハウジング２０外に出るように回転させる。また前記携帯電話として使用するときには、前記回転蓋５０の表面である化粧面がハウジング２０外に出るように、図２に示す矢印Ｂ方向に１８０°回転させる。
【００１８】
つぎに、回転蓋５０について図６に基づいて説明する。
前記携帯電話２５を保持部２６に保持させ、ハンズフリー電話機として使用しているときには保持部２６が図６（Ａ）の状態であるので、保持部２６の右側を矢印Ｃ方向に押し込むことによって、前記回転蓋５０は左回りに回転して図６（Ｂ）の状態になる。この状態から更に、保持部２６の右側を押し込み、前記回転蓋５０の表面の化粧面が出て、回転蓋５０の一側端に形成されているストッパー２５ｄが前記窓部２５ａの窓枠に当接するまで回転させることによって図６（Ｃ）の状態になり、外部からの見栄えが良くなる。
【００１９】
また、前記回転蓋５０の裏面に設けられた保持部２６は、一端にスプリング５３等の付勢部材を外部から見えないように収納する収納室５４が突出して設けられ、他端には断面Ｌ字状の固定側保持部５５が突出して設けられている。
【００２０】
また、前記収納室５４と固定側保持部５５との間には、断面Ｌ字状の可動側保持部５６が取り付けられており、その可動側保持部５６は前記収納室５４のスプリング５３によって固定側保持部５５との間の間隔が狭くなる方向に付勢されている。それによって、前記固定側保持部５５と可動側保持部５６との間に携帯電話２５を挟み込むことが出来る。
【００２１】
さらに、前記固定側保持部５５と可動側保持部５６の双方の下端側には棚部５５ａ，５６ａが向かい合うように突設して設けられ、前記携帯電話２５を前記固定側保持部５５と可動側保持部５５との間に挟み込んだ場合に、自重によって落下することを防止している。
【００２２】
次に、図７乃至図９を参照しながら、携帯電話２５をハンズフリー電話機として使用する場合と、携帯電話２５の充電を行う場合と、携帯電話２５を通常の携帯電話として充電しながら使用する場合とについて以下に説明する。
【００２３】
まず、図７に全体の概略構成を示す。そして、携帯電話２５をハンズフリー電話機として使用する場合には、アダプタ４１を第１コンセント２７に、また充電端子４３を第２コンセント２８に差し込む。そして、充電端子２９をハウジング２０の格納部３０から引き出して、その充電端子２９を携帯電話２５の充電コネクタ２５ａに差し込む。その後、前記固定側保持部５５と可動側保持部５５との間隔を手による外力によって広げ、携帯電話２５の充電端子２５ａ側の底部を前記固定側保持部５５と可動側保持部５６とに設けられた棚部５５ａ，５６ａの上に載置した後に、前記可動側保持部５６に加えている手による外力を解放することによって、図８に示すように携帯電話２５を前記固定側保持部５５と可動側保持部５６と挟み込むことによってセットされる。
【００２４】
次に、携帯電話２５の充電を行う場合には、図９に示すようにアダプタ４１を第１コンセント２７に、また充電端子４３を第２コンセント２８に差し込まずに、携帯電話２５の充電コネクタ２５ａに直接差し込む。その後、上記の如く携帯電話２５を前記固定側保持部５５と可動側保持部５６と挟み込むことによってセットされる。
【００２５】
次に、携帯電話２５を通常の携帯電話として充電しながら使用する場合には、アダプタ４１を第１コンセント２７に、また充電端子４３を携帯電話２５の充電コネクタ２５ａに差し込んだ状態で使用可能になる。すなわち、図９において、携帯電話機２５を保持部２６に挟み込まない状態での使用に相当する。
【００２６】
次に、前記可動側保持部５６のロック、アンロック機構について図１０、図１１を参照して説明する。なお、これについては、原理説明のみであるので、上記保持部２６の構造と異なり、図が必ずしも一致するものではない。
固定側保持部５５に相当する固定側保持部６０の基部から直角に延設された基材６１の裏側に複数の凹凸６２が形成されている（図１０Ａ）と共に、前記可動側保持部５６に相当する可動側保持部６３の基部から直角に、先端部に前記固定側保持部５５の基材６１の裏側形成された複数の凹凸６２に係止される係止部６５が一対設けられた舌片６４が延設されている（図１０Ｂ）。また、その舌片６４には押圧部６６が形成されている（図１０Ｃ）。
【００２７】
上記の如く、固定側保持部６０と可動側保持部６３とを構成し、双方を組み合わせ（図１１Ａ）、固定側保持部６０と可動側保持部６３との間に指を差し込み、図１１Ａの中央部に位置する押圧部６６を図１１Ｂの矢印方向に押し込むことによって、前記係止部６５の基材６１の凹凸６２に係止された状態を解除できるので（図１１Ｂ）、可動側保持部６３を左方向に移動させた後に押圧部６６の押し込みを解除すると、前記係止部６５が凹凸６２に係止された状態になり、セットされる（図１１Ｃ）。
【００２８】
【発明の効果】
以上説明したように、この発明によれば、車両内においては、どのようなメーカーの携帯電話であっても、携帯電話購入時の付属品のアダプタを車両内に持ち込むことによって携帯電話を使用目的に応じてどのようにでも使用できるようになるという効果が発揮される。
【図面の簡単な説明】
【図１】本発明による車載用電話装置の全体の斜視図である。
【図２】図１の平面図で、一部分が断面で示された図である。
【図３】図１の正面図である。
【図４】本発明による車載用電話装置において、携帯電話の充電のみ、又は携帯電話を携帯電話として使用した状態の電気接続図である。
【図５】本発明による車載用電話装置において、携帯電話をハンズフリー電話機として使用した状態の電気接続図である。
【図６】収納部２６のハウジング２０内への格納の仕方を説明する図である。
【図７】本発明による車載用電話装置の使用を説明するための全体概要図である。
【図８】本発明による車載用電話装置を使用して、携帯電話２５をハンズフリー電話機として使用した説明図である。
【図９】本発明による車載用電話装置を使用して、携帯電話２５を充電のために使用した状態の説明図である。
【図１０】（Ａ）は固定側保持部６０の裏面図、（Ｂ）は可動側保持部６３の断面説明図、（Ｃ）は可動側保持部６３の正面図である。
【図１１】（Ａ）は固定側保持部６０と可動側保持部６３とを組み合わせたときの正面図、（Ｂ）は（Ａ）において押圧部６６を押し込んだ状態を示す断面説明図、（Ｃ）は（Ｂ）における押圧部６６への押圧力を解除し、固定側保持部６０と可動側保持部６３との間隔が保持された状態を示す図である。
【図１２】従来の説明図である。
【図１３】図１２における電気接続状態を説明する図である。
【符号の説明】
１  ドアパネル
２  フロントドアピラー
３  ドアミラー
４  フロントドアガーニッシュ
５  充電端子
６  携帯電話
７  携帯電話ホルダー
８  マイク
９  スピーカー
１０  フレキシブルケーブル
１１  インカムプラグ
１２  電源アダプタ
１４  インカムジャック
１５  車載バッテリ
１６  充電コネクタ
１７  充電端子
１８  増幅回路
２０  ハウジング
２１  インターフェイス回路
２２  ＤＣ／ＡＣコンバータ（電圧変換回路）
２３  回路基板
２４  蓋体
２４ａ  窓部
２４ｂ  部品取付部
２４ｃ  凹部
２５  携帯電話
２５ａ  充電コネクタ
２６  保持部
２７、２８  コンセント
２９  充電端子
３０  格納部
３３、３４、３５、３６、３９、４０、４２  ハーネス
３７  スピーカ
３８  マイクロホン
４１  アダプタ
４３  充電端子
５０  回転蓋
５３  スプリング
５４  収納室
５５  固定側保持部
５６  可動側保持部
【図１】
0003853677.tif 000002
【図２】
0003853677.tif 000003
【図３】
0003853677.tif 000004
【図４】
0003853677.tif 000005
【図５】
0003853677.tif 000006
【図６】
0003853677.tif 000007
【図７】
0003853677.tif 000008
【図８】
0003853677.tif 000009
【図９】
0003853677.tif 000010
【図１０】
0003853677.tif 000011
【図１１】
0003853677.tif 000012
【図１２】
0003853677.tif 000013
【図１３】
0003853677.tif 000014